(57)【要約】【課題】ゴルフ練習場における練習用ゴルフボールの貸出をプリペイドカード等を使用することなく、貸出、利用料金精算を利用者毎に個別、確実に管理できるようにする。【解決手段】ゴルフ練習する利用者に係る会員情報を格納し、その利用者からの預託金を管理してボール貸出料金額と精算処理する管理コンピュータ１０と、この管理コンピュータに接続されていて、利用者から指定された練習用ゴルフボールの貸出数に相当する貸出料金額が預託金による利用残高額の範囲内であるときにボールを貸し出すボールベンダー２０とを備えて成る。そして、利用者自身の入力による暗証番号と、その暗証番号に対応して会員情報から抽出された会員の顔写真との照合によった利用者本人であることの確認を経ることで暗証番号の使用を有効にし、その暗証番号の入力によってボールベンダー２０による練習用ゴルフボールの貸出処理を可能とする。【選択図】図２
2012235953.tif 000002
【特許請求の範囲】
【請求項１】
ゴルフ練習する利用者に係る会員情報を格納し、その利用者からの預託金を管理してボール貸出料金額と精算処理する管理コンピュータと、この管理コンピュータに接続されていて、利用者から指定された練習用ゴルフボールの貸出数に相当する貸出料金額が預託金による利用残高額の範囲内であるときにボールを貸し出すボールベンダーとを備えて成り、利用者自身の入力による暗証番号と、その暗証番号に対応して会員情報から抽出された会員の顔写真との照合によった利用者本人であることの確認を経ることで暗証番号の使用を有効にし、その暗証番号の入力によってボールベンダーによる練習用ゴルフボールの貸出処理を可能としたことを特徴とするゴルフ練習場におけるゴルフボール貸出システム。
【請求項２】
管理コンピュータは、利用者として会員登録されて、当該会員の暗証番号に対応している利用者の顔写真、利用者自身によって設定された暗証番号を格納している会員情報収納部と、利用代金として預かった預託金額を入金し管理する入金処理部と、利用者によって指定されたボール貸出数に対応する貸出料金額を当該利用者の預託金額から減算し、精算する精算処理部とを備えている請求項１に記載のゴルフ練習場におけるゴルフボール貸出システム。
【請求項３】
管理コンピュータには、暗証番号を入力する暗証番号入力器と、利用者本人であることの確認後で、当該利用者に係る預託金による利用残高額を表示する利用残高額表示器とを備えている請求項１または２に記載のゴルフ練習場におけるゴルフボール貸出システム。
【請求項４】
ボールベンダーは、暗証番号を入力する暗証番号入力部と、ボール貸出数を指定入力するボール貸出数指定部と、暗証番号の入力後における利用可能な利用残高額の金額およびまたは指定された練習用ゴルフボールの貸出数に基づくボール貸出料金額を利用残高額から減算した結果金額を表示する利用残高額表示部と、減算後の利用残高額に残額があるときに所定のボール貸出数の練習用ゴルフボールを排出・供給するボール貸出処理部とを備えている請求項１乃至３のいずれかに記載のゴルフ練習場におけるゴルフボール貸出システム。
【請求項５】
ボール貸出処理部は、練習用ゴルフボールの排出・供給後で、ボール貸出数に対応したボール貸出料金額の減算を管理コンピュータにおける精算処理部に指示制御する請求項４に記載のゴルフ練習場におけるゴルフボール貸出システム。
【発明の詳細な説明】
【技術分野】
【０００１】
本発明は、ゴルフ練習場において、練習用ゴルフボール貸出時の貸出料金を支払うとき、利用者として会員登録しておいて、当該会員から予め預託された貸出料金精算用の預託金から会員それぞれに対応して精算処理するものとし、また利用受付時の会員であることの確認作業を簡単、確実に間違いなく行えるようにし、しかも小規模なゴルフ練習場であってもその導入設置が容易であるようにしたゴルフ練習場におけるゴルフボール貸出システムに関する。
【背景技術】
【０００２】
従来から、ゴルフ練習場においての練習用ゴルフボールの貸出に際し、その貸出料金を支払うには、例えば打席近傍に設置されているボールベンダー（ボール貸出機）に、受付時に購入したコインを投入したり、預託した貸出料に相当する金額が記載されているプリペイドカードを挿入して減額精算したり、会員登録カードを挿入して貸し出された後の練習場からの退出時に精算したり等している。具体的には、例えば特許文献１に係るゴルフ練習場運営システムであり、特許文献２に係るゴルフ練習場用のプリペイドカードおよび該プリペイドカードを用いたゴルフ練習場の管理システムであり、特許文献３に係るゴルフ練習場管理システムであり、特許文献４に係るゴルフ練習場管理システムである。
【０００３】
特許文献１に係る運営システムは、入金された金額に応じて顧客カードのプリペイド金額の書き換えを行い、顧客カードの挿入時にプリペイド金額の減額、練習場利用履歴の記録、ゴルフ場紹介情報の提示等を行うものとする。特許文献２に係るプリペイドカードでは、その利用によって、会員コード、減算・加算時におけるプリペイド料金が書き換えられたときのリライト表示部、その書き換えを記録する磁気記録部が表示されたものとする。特許文献３に係る管理システムは、金額データが書き換えられるプリペイドカードを利用して、練習時の打球数、練習時間に対応してゴルフボール配球装置の運転を制御しようとする。特許文献４に係る管理システムは、リライト表示部を備えた非接触ＩＣ構成のメンバーカードを用意し、受付処理部でのメンバーカードの挿入によるチェックイン入場処理、ボールベンダーでの挿入によるボール貸し出し・貸出料金額の算出による金額情報の更新、データ管理部での更新処理等を行うものとする。
【先行技術文献】
【特許文献】
【０００４】
【特許文献１】特開２００２−１４０４５６号公報
【特許文献２】特開２００３−３０３３２３号公報
【特許文献３】特開平６−３０４２８０号公報
【特許文献４】特開２００５−２３７５８１号公報
【発明の概要】
【発明が解決しようとする課題】
【０００５】
このような従来の練習用ゴルフボールの貸出料金の支払い、精算等には、現金の授受による煩雑さを解消できるようにプリペイド方式が採用され、そのプリペイド料金が表示されるプリペイドカード、メンバーカード等を用意し、入金による加算・貸出料金額の減算に応じてこれらのカードに記録されているプリペイド金額を書き換え、また表示するものとしている。そのために、ゴルフ練習場では、これらのプリペイドカード等を事前に用意・保管し、またカードの発行・書換機を受付窓口・ボールベンダー等に設置する必要があり、更にはそのカードによる顧客情報・使用状況等を記録・管理するとしたらそれらのための制御コンピュータ等をも設置する必要がある。一方、顧客・利用者は、予めプリペイド料金を所定金額によって預託している場合には、これが明らかであるカードを持参・携帯しなければ貸出料金の精算ができないから、それを失念すると練習場に来場しても練習ができないことにもなりかねない。また、もし、そのカードを紛失した場合には、新たなカードの発行によらなければ練習更には精算ができないばかりでなく、預託したプリペイド料金による精算を断念しなければならず、無駄なことにもなる。
【０００６】
そこで本発明は上述したような従来存した諸事情に鑑み創出されたもので、その目的は従来一般的に発行、管理されていたプリペイドカード等を使用することなく、利用会員として登録され、所定金額の預託があること、来場した利用者本人の顔による直接の確認および利用会員固有の暗証番号の使用有効化によって練習用ゴルフボールの貸出料金額はその預託金額によって精算されるものとし、またこれらの本人確認処理、精算処理等も従来に比し簡素な構成で実現できるようにして小規模なゴルフ練習場であっても簡単に導入できるゴルフ練習場におけるゴルフボール貸出システムを提供することにある。
【課題を解決するための手段】
【０００７】
上述した課題を解決するため、本発明にあっては、ゴルフ練習する利用者に係る会員情報を格納し、その利用者からの預託金を管理してボール貸出料金額と精算処理する管理コンピュータ１０と、この管理コンピュータ１０に接続されていて、利用者から指定された練習用ゴルフボールの貸出数に相当する貸出料金額が預託金による利用残高額の範囲内であるときにボールを貸し出すボールベンダー２０とを備えて成り、利用者自身の入力による暗証番号と、その暗証番号に対応して会員情報から抽出された会員の顔写真との照合によった利用者本人であることの確認を経ることで暗証番号の使用を有効にし、その暗証番号の入力によってボールベンダー２０による練習用ゴルフボールの貸出処理を可能としたことを特徴とする。
管理コンピュータ１０は、利用者として会員登録されて、当該会員の暗証番号に対応している利用者の顔写真、利用者自身によって設定された暗証番号を格納している会員情報収納部１１と、利用代金として預かった預託金額を入金し管理する入金処理部１２と、利用者によって指定されたボール貸出数に対応する貸出料金額を当該利用者の預託金額から減算し、精算する精算処理部１３とを備えて構成することができる。
また、管理コンピュータ１０には、暗証番号を入力する暗証番号入力器１５と、利用者本人であることの確認後で、当該利用者に係る預託金による利用残高額を表示する利用残高額表示器１６とを備えて構成することができる。
ボールベンダー２０は、暗証番号を入力する暗証番号入力部２１と、ボール貸出数を指定入力するボール貸出数指定部２２と、暗証番号の入力後における利用可能な利用残高額の金額およびまたは指定された練習用ゴルフボールの貸出数に基づくボール貸出料金額を利用残高額から減算した結果金額を表示する利用残高額表示部２３と、減算後の利用残高額に残額があるときに所定のボール貸出数の練習用ゴルフボールを排出・供給するボール貸出処理部２４とを備えて構成することができる。
ボール貸出処理部２４は、練習用ゴルフボールの排出・供給後で、ボール貸出数に対応したボール貸出料金額の減算を管理コンピュータ１０における精算処理部１３に指示制御するものとして構成することができる。
【０００８】
以上のように構成された本発明に係るゴルフ練習場におけるゴルフボール貸出システムにあって、来場した利用会員は、自身で設定した暗証番号を入力することで、その暗証番号に対応する会員として表示される顔写真と、利用会員本人の顔とが照合され、一致する場合に、当該利用会員固有の暗証番号を有効に使用できるものとさせ、ボールベンダー２０においては、その暗証番号の入力、貸出ボール数の指定、それに対応した貸出料金額の利用残高額からの減算の可否等によって練習用ゴルフボールの貸出を可能にさせる。
練習用ゴルフボールの貸出には、ボールベンダー２０における暗証番号入力部２１に、使用が有効にされた暗証番号の入力によるものとし、また、暗証番号の使用の有効化は受付チェックイン登録時の来場した利用者本人の顔と、その暗証番号に対応して予め登録されている会員情報収納部１１における顔写真との照合による一致の確認によることで、不正使用を排除させる。
来場した利用者本人の入力操作による暗証番号の入力に対応し、その暗証番号に係る利用会員として抽出表示される顔写真によって利用者本人であることを確認させ、また使用が有効となった暗証番号の入力でボールの貸出処理をすることで、従来の例えばプリペイドカードその他のカード類の発行、その管理、持参・携帯等を不要にさせる。
管理コンピュータ１０の入金処理部１２は、利用会員から預かった預託金を利用残高額に加算するものとして入金処理させ、精算処理部１３は、ボールベンダー２０によって貸し出された練習用ゴルフボールの貸出数に対応した貸出料金額を預託金による利用残高額から減算することで精算処理し、また利用残高額表示器１６、利用残高額表示部２３は、利用時の精算可能な利用残高額を表示させる。
ボールベンダー２０におけるボール貸出数指定部２２による貸出ボール数の指定は、その貸出ボール数に対応した貸出料金額による精算処理部１３における利用残高額からの減算の可否が判定され、その残額がある場合にボール貸出処理部２４によって貸出処理がなされることで、利用残高額以上となるボールの貸出処理を中止させる。
また、暗証番号入力部２１における暗証番号の入力によっても貸出処理が実行されない場合、暗証番号の有効化の未了による受付チェックイン登録の未終了、預託金額の不足等が生じていることを示し、それらの受付、入金等を督促させる。
【発明の効果】
【０００９】
本発明は以上説明したように構成されているため、来場した利用者本人による暗証番号の入力に基づき、その暗証番号に対応して予め登録されている利用者本人の顔写真との照合によって利用者本人であることが確認でき、またそれに伴いその暗証番号の使用を有効にしておいて、その暗証番号が入力され、ボール貸出料金額が預託金である利用残高額からの減算が可能である場合にボールの貸出処理がなされることで、本人以外の不正使用、利用残高額以上のボール貸出を不能とすることができる。また、これにより、従来から一般的に使用されているプリペイドカード等を不要にし、例えばそのプリペイドカード等の事前の用意、その登録処理、リーダー等の所要のハード機器を削減でき、しかも利用者にとってもプリペイドカードの管理、持参・携帯も不要となり、総じてシステム全体の設置コストも低減でき、小規模なゴルフ練習場でも簡単に設置使用できる。
【００１０】
すなわちこれは本発明において、利用者に係る会員情報を格納し、その利用者からの預託金を管理してボール貸出料金額と精算処理する管理コンピュータ１０と、この管理コンピュータ１０に接続されていて、練習用ゴルフボールの貸出数に相当する貸出料金額が預託金による利用残高額の範囲内であるときにボールを貸し出すボールベンダー２０とを備え、利用者自身の入力による暗証番号と、その暗証番号に対応している会員の顔写真との照合によった利用者本人の確認を経ることで暗証番号の使用を有効にし、その暗証番号の入力によって練習用ゴルフボールの貸出処理を可能としたからである。これによって、来場した利用者本人の顔を直接に照合することによる本人確認、その確認後の暗証番号の使用有効化、有効化された暗証番号入力と利用残高額からの減算可能時のみのボール貸出処理、貸出料金額の減算による利用残高額の精算処理等を行うことができる。
【００１１】
また、管理コンピュータ１０は、会員情報収納部１１、入金処理部１２、精算処理部１３を備えており、会員情報収納部１１では、会員情報として利用会員の顔写真を格納しており、利用者本人が暗証番号入力器１５によって入力する暗証番号に対応する会員顔写真が表示されることで、利用申込者が申込者本人であるか否かを確認でき、確認後ではその暗証番号の有効化処理をすることでボールベンダー２０によるボール貸出処理を実行可能にさせるのである。
【００１２】
入金処理部１２では、預託金としての利用残高額に対する入金処理を行い、会員による預託金口座内の利用残高額を管理し、精算処理部１３では、入金処理後の利用残高額からボールベンダー２０によって貸し出された練習用ゴルフボールの貸出数に相当する貸出料金額を減算し、減算後の残額を次回の利用残高額として記録・格納し、精算処理する。
【００１３】
ボールベンダー２０は、暗証番号入力部２１、ボール貸出数指定部２２、利用残高額表示部２３、ボール貸出処理部２４を備えており、暗証番号入力部２１によって入力される暗証番号が有効化されているものでない限り、受付チェックイン登録を済ませていない不正入場者と判定してボールの貸出処理を実行しないから、不正使用を排除できる。
【００１４】
そればかりでなく、ボール貸出数指定部２２において指定されるボール貸出数に相当する貸出料金額が利用残高額から減算できず、不足するときにはボールの貸出処理を実行しないから、利用残高額以上のボール貸出を実行せず、また利用者に預託金の入金を督促させることで貸出管理を確実にできる。
【００１５】
利用残高額表示部２３では、暗証番号の入力後における利用可能な利用残高額の金額、およびまたは、ボール貸出数指定部２２によって指定されたボール貸出数に対応する貸出料金額が利用残高額から減算された結果の残額が表示されるので、利用者にとっては利用残高額を貸出申し込み時に常時確認でき、練習の続行あるいは中止等の判断を行わせるのに役立つ。
【００１６】
ボール貸出処理部２４では、受付チェックイン登録で有効化された暗証番号の入力による利用者本人確認、利用残高額からの貸出料金額の減算の可否判定等によってボール貸出処理を実行するから、利用者本人以外に対して貸し出しせず、また利用残高額以上のボールを貸し出ししないものとできると共に、貸出処理後では貸出料金額を利用残高額から減算指示することで、精算処理部１３では利用可能な利用残高額を常時記録格納できる。
【００１７】
尚、上記の課題を解決するための手段、発明の効果の項それぞれにおいて付記した符号は、図面中に記載した構成各部を示す部分との参照を容易にするために付した。本発明は、これらの記載、図面中の符号等によって示された構造・形状等に限定されない。
【図面の簡単な説明】
【００１８】
【図１】本発明を実施するための一形態を示す各機器の配置説明図である。
【図２】同じく概要説明図である。
【図３】同じく貸出精算処理を示すフローチャート図である。
【発明を実施するための形態】
【００１９】
以下、図面を参照して本発明を実施するための一形態を説明すると、図において示される符号１０は所定のゴルフ練習場における受付窓口等のフロント側に設置される、例えば所定処理能力を有するパーソナルコンピュータ（パソコン）から成る管理コンピュータである。この管理コンピュータ１０は、所定の入力機器、ディスプレー機器等によって、来場する利用者を会員として登録するときのその会員に関する各種情報を格納する会員情報収納部１１と、ボール貸出料金を精算するように所定額で預託すべく入金した場合、その入金処理を行う入金処理部１２と、必要とする入場料および練習用ゴルフボールを例えば所定篭数で貸し出したときの貸出料金額を預託金である利用残高額から精算処理する精算処理部１３とを備えている。
【００２０】
会員情報収納部１１は、練習のために来場する利用者を会員として事前登録するときの利用会員に関する情報、例えば少なくとも会員としての顔写真データと、登録する会員が設定する利用会員固有の暗証番号（パスワード）データとを対応させてデータベースとして格納している。利用会員に関する情報として、例えばその他に会員名、住所、連絡先電話番号、生年月日、性別等の会員特定、識別のための各種情報を含むことができる。また、顔写真は、会員本人から提供されたり、適宜なデジタルカメラ機によって撮影された画像として取り込まれたりし、必要に応じて格納する顔写真は態様が異なる複数葉とすることも可能である。暗証番号はこの種の認証方法としての適宜文字・桁数の組合せによって設定されるものとし、必要に応じ再設定可能にしてある。会員情報には、ゴルフ練習場側での受付後に必要に応じて設定された会員番号等をも含むことができ、更に、会員登録後では会員自身の確認その他のために会員カード等が作成され、発行されるようにしても良い。
【００２１】
また、管理コンピュータ１０には、例えばタッチパネル、キーボード、テンキー入力器等の所定の入力機器によって構成される暗証番号入力器１５が接続されており、この暗証番号入力器１５に対する会員自身による暗証番号の入力によって、受付窓口におけるディスプレー装置に、その暗証番号に対応する会員の顔写真が会員情報収納部１１から抽出されて表示される。そして、会員登録された実際に来場した利用者の顔と、ディスプレー装置上の顔写真とが合致対応しているか否かを受付事務者等が確認し、その照合確認があれば同一人物であるとされ、当日のみの受付チェックイン登録が完了、すなわちその暗証番号の使用を有効とする有効化処理が行われるようになっている。
【００２２】
尚、利用会員の顔写真の表示は、会員登録された会員の来場利用の受付時に例えばその氏名、会員番号等を伝えることで、それの受付者側の入力によってディスプレーに表示されるものとしても良く、その利用者自身の顔と表示された顔写真とが受付事務者によってその間の合致対応が確認されれば良く、また、暗証番号の入力と共に当日のみの受付チェックイン登録が完了するようになっている。
【００２３】
図示を省略したが、利用者の来場時の顔を撮影した写真と事前登録した顔写真とを顔認証システムによって照合するようにすることも可能である。
【００２４】
また、入金処理部１２には、練習用ゴルフボールの貸出料金、更には必要に応じ徴収される入場料等としてゴルフ練習場側に予め預ける預託金が入金された場合の入金処理を行うもので、登録された会員それぞれ対応して設定されているデータベース上の会員預託金口座における利用残高額に入金額を加算するようになっている。この入金処理に際し、必要に応じて会員には領収書が発行される。
【００２５】
尚、入金処理部１２は、受付窓口側あるいは打席側に設置した現金入金機（図示せず）を接続させておき、この現金入金機に暗証番号の入力と共に現金を投入することで、入金処理が行われるようにしても良い。
【００２６】
精算処理部１３は、入金処理部１２によって入金処理がなされた後の利用残高額をもとに、利用会員に貸し出された練習用ゴルフボールの貸出料金額を減算すると共に、追加入金される預託金を加算し、常時その時点での利用残高額を計算した精算額を前記会員預託金口座に利用残高額として反映させるものとしている。
【００２７】
この精算処理部１３による利用残高額は、利用会員の受付チェックイン登録時に行う暗証番号入力器１５による暗証番号入力後の利用者本人の確認後に、その利用会員に係る利用残高額が利用残高額表示器１６にディスプレー表示されるようになっている。尚、この利用残高額表示器１６は、前記暗証番号入力器１５を兼ねるタッチパネル式ディスプレー装置によって構成することもできる。もとより、暗証番号はその会員のみが入力でき、利用残高額はその会員のみに対して表示されるものとしてある。
【００２８】
一方、ゴルフ練習場における打席側である打席近傍には、ボールベンダー２０が所定箇所に所定台数で設置されている。これらのボールベンダー２０は前記管理コンピュータ１０に通信回線によって接続されていて、ボールの貸出を許可する利用会員の暗証番号の入力による確認照合情報、例えばボール貸出篭数によるボール貸出料金額等に基づく利用残高額からの減算処理情報等が双方向通信されることで処理されると共に、貸し出すべき練習用ゴルフボールを貯留し、またボールは適宜に補充されるようになっている。そのため、このボールベンダー２０は、暗証番号を入力する暗証番号入力部２１と、ボール貸出数を例えばその篭数によって指定入力するボール貸出数指定部２２と、暗証番号の入力後における利用可能な利用残高額の金額およびまたは指定されたボール数に基づくボール貸出料金額を利用残高額から減算した結果金額を表示する利用残高額表示部２３と、減算後の利用残高額に残額があるとき、すなわち残額がプラス表示額（ゼロ円以上の額）であるときに所定のボール貸出数の練習用ゴルフボールを排出・供給するボール貸出処理部２４とを備えて成り、また、ボール貸出処理部２４では、貸し出し後で、ボール貸出数に対応したボール貸出料金額の減算を前記精算処理部１３に指示制御するようになっている。
【００２９】
暗証番号入力部２１は、管理コンピュータ１０における暗証番号入力器１５と同様に例えばタッチパネル式ディスプレーによって構成されており、入場した会員自身等によって暗証番号が入力されると、管理コンピュータ１０における会員情報収納部１１では、その暗証番号に係る会員による受付チェックイン登録の有無が照合され、その会員が受付チェックイン登録済みで、その暗証番号が有効化されている場合に、ボール貸出処理が続行されるようにしている。暗証番号が入力されても、受付チェックインの登録が未了であると、不正入場であると判断して以後のボール貸出処理を中止させるものとしてあり、また未了であれば、受付チェックイン登録を済ませることでボール貸出処理が行われる。
【００３０】
また、有効な暗証番号が暗証番号入力部２１に入力されると、その暗証番号に対応している会員に係る預託金口座における利用残高額が利用残高額表示部２３に表示され、当該利用会員が精算利用可能な、その時点での利用残高額を確認できるようにしてある。
【００３１】
ボール貸出数指定部２２は、暗証番号入力、受付チェックイン登録の確認がなされた後にボール貸出が許可されて、例えばボール貸出篭数の指定によって所定のボール数が貸し出されるようにしている。その貸出篭数、貸出ボール数等の指定は、例えばタッチパネル、テンキー入力器等によるものとしてある。
【００３２】
利用残高額表示部２３は、例えばボール貸出指定時における精算・利用可能な利用残高額、またボール貸出数の指定によるボール貸出料金額を管理コンピュータ１０における精算処理部１３の利用残高額から減算した結果金額を表示するのであり、減算した結果の利用残高額がマイナス額にならない限り、指定した貸出数に対応したボール数の貸出が可能となるようにしている。減算した結果の利用残高額がマイナス額となる場合には、利用会員に対し、利用残高額がゼロ円以上の貸出利用額となるように貸出数を再指定することで対応させるようにする。
【００３３】
これらの暗証番号入力部２１、ボール貸出数指定部２２、利用残高額表示部２３等はボールベンダー２０に設けたタッチパネル式ディスプレー装置によることもでき、このディスプレー装置に、暗証番号入力画面、ボール貸出数指定画面、利用残高額表示画面等が例えば画面切替等によって順次に表示される。
【００３４】
ボール貸出処理部２４は、利用残高額表示部２３において減算後の利用残高額として残額がある場合、すなわちゼロ円以上である場合に所定数の貸出ボール数を排出・供給する。尚、貸出ボールの出力、排出・供給は、貸出ボール数の指定に際し、ゴルフ練習場において一般的には、貸出ボールを打席に移動・運搬するときボール篭を使用している関係でボール篭数の指定によるものとするが、これをボール数の指定によるものとしても同様である。いずれにしても貸出ボール数が多数である場合には、ボール貸出処理部２４からは例えば篭収容量に対応して一定量毎に区切られて出力供給されるようにすると良い。
【００３５】
もとより、図示を省略したが、打席毎にボールベンダー２０が備えられている場合にも、暗証番号の入力、貸出ボール数の指定、利用残高額表示、その減算処理の可否、ボールの排出・供給、減算指示の処理が同様に実施されるのである。
【００３６】
次にこれらの利用会員としての事前登録、預託金の入金、受付チェックイン登録、暗証番号入力、ボール貸出、利用残高額からのボール貸出数に対応したボール貸出料金額の減算等の一連の処理を図３によって説明する。
【００３７】
管理コンピュータ１０における入力機器によって、来場する利用者を会員登録し、利用会員として、その会員自身の顔写真と共に暗証番号等の必要な会員特定情報を会員情報収納部１１に格納する会員登録（入会）等の事前処理を行う（ステップ１０１）。練習・利用の受付時には、チェックイン受付（ステップ１０２）を行い、暗証番号入力器１５にて会員自身が暗証番号を入力することで（ステップ１０３）、受付窓口のディスプレー装置にはその暗証番号に対応した会員の顔写真が表示出力され（ステップ１０４）、例えば受付事務者による現実の来場者の顔とディスプレー装置上の顔写真とを照合する（ステップ１０５）。照合ができない場合には、会員としての事前登録である会員登録が未登録であるか、暗証番号の誤入力であるか等であるので、それらを完了させることで対応する。
【００３８】
会員登録の事前処理と共に、必要とする入場料、ボール貸出料金として所定額を予め預託金として預かり、管理コンピュータ１０における入金処理部１２によって入金処理がなされる（ステップ１０６）。この預託金の入金は、利用残高額としてあるいはこれに加算され（ステップ１０７）、データベース上の会員それぞれの預託金口座に利用残高額として更新格納されるものとなっている。
【００３９】
利用者が会員登録されていることが確認されると、当日の入場料が徴収され（ステップ１０８）、利用残高額から減算され（ステップ１０９）、この減算処理に際し、会員の預託金口座における利用残高額が不十分でこれからの減算ができない場合には、あらためて当該会員から預託金を預かって入金処理がなされる。入場料が徴収されると、当該会員の暗証番号の使用が有効となるよう有効化処理がなされ（ステップ１１０）、当日に限り、その暗証番号の使用が許可される受付チェックイン登録がなされ（ステップ１１１）、ボールベンダー２０による練習用ゴルフボールの貸出処理が可能となるように設定される。尚、入場料の徴収は、ゴルフ練習場によっては徴収しないものとして予めプログラム設定でき、その場合にはこの処理は省略されることがある。このようにして受付窓口等で、来場した利用会員は、本人であることの確認と共に、確認されることで当該会員の暗証番号の使用が有効化されるものとしておく。
【００４０】
一方、練習用ゴルフボールの貸出を申し込むには、打席側に設置されているボールベンダー２０において、暗証番号入力部２１によって暗証番号を入力すると、その時点で当該利用会員に係る利用精算可能な利用残高額が利用残高額表示部２３に表示され、その利用残高額の範囲内でボール貸出数指定部２２によって、例えば篭数の指示で貸出ボール数を指定してボール貸出を申し込む（ステップ１１２）。この申し込み時は、管理コンピュータ１０における会員情報収納部１１によって処理されている暗証番号有効化の有無と照合され（ステップ１１３）、照合できない場合には、受付チェックイン登録がされていない不正入場であるとして、受付チェックイン登録を促す（ステップ１０２参照）。照合できた場合であれば、受付チェックインも完了しているので、ボール貸出処理を続行する。
【００４１】
ボール貸出処理時では、利用会員が指定したボール数に相当する貸出料金額を利用残高額から減算可能であるか否かが、管理コンピュータ１０における精算処理部１３に格納されている当該会員の預託金口座の利用残高額と減算照合される（ステップ１１４）。減算可能であると判定されると、ボールベンダー２０におけるボール貸出処理部２４から所定数の練習用ゴルフボールが排出・供給される（ステップ１１５）。指定したボール数に相当する貸出料金額が利用残高額では不足する場合には貸出処理が中止され、利用残高額未満でのボール数として再指定されるか、所定額の預託金を預ける等して入金処理がなされる（ステップ１０６参照）と、貸出処理が可能となる。
【００４２】
ボール貸出処理部２４による練習用ゴルフボールの貸出処理が完了すると（ステップ１１５参照）、精算処理部１３では利用残高額から貸出料金額を減算し（ステップ１１６）、減算した後の精算結果額を次回の利用残高額としてボールベンダー２０における利用残高額表示部２３に表示させ（ステップ１１７）、来場会員が、減算処理された当該利用会員自身の利用残高額を確認できるようにする。
【００４３】
このような来場した利用会員に対するボール貸出の処理は、ボール数の追加貸し出し毎に、以上のステップ１１２からステップ１１７による貸出処理操作が繰り返されることで処理される。
【００４４】
練習終了後では、受付窓口においての終了したことの申告がなされると、受付事務者によってその利用会員に係る暗証番号の当日使用を無効とする処理である当日利用残高額終了処理をする（ステップ１１８）。こうすることで、以後の当日における貸出処理が不能となり、あるいは終了申告がない場合には、練習場における当日の練習・営業時間終了、閉場に伴う終了処理によって無効化されるものとすれば良い。尚、２４時間無休である練習場等であれば、受付時からの一般的な練習時間あるいは申告した練習時間の間等で有効となるように管理コンピュータ１０において設定することで対応するものとすれば良い。
【符号の説明】
【００４５】
１０…管理コンピュータ                  １１…会員情報収納部
１２…入金処理部                        １３…精算処理部
１５…暗証番号入力器                    １６…利用残高額表示器
２０…ボールベンダー                    ２１…暗証番号入力部
２２…ボール貸出数指定部                ２３…利用残高額表示部
２４…ボール貸出処理部
【図１】
2012235953.tif 000003
【図２】
2012235953.tif 000004
【図３】
2012235953.tif 000005